(57)【要約】【課題】より効率的に電力センサがライトを点灯することができるネットワークシステムおよび電力センサの制御方法を提供する。【解決手段】コントローラ１００は、少なくとも１つの電力センサと少なくとも１つの人感センサと通信するための通信インターフェイス１０５と、通信インターフェイスを介して、少なくとも１つの人感センサから人が存在する旨の情報を受信した際に、少なくとも１つの電力センサにライトを点灯させ、少なくとも１つの人感センサから人が不在である旨の情報を受信した際に、少なくとも１つの電力センサにライトを消灯させるためのプロセッサ１１０とを含む。【選択図】図２
2012194752.tif 000002
【特許請求の範囲】
【請求項１】
少なくとも１つの家電と、
前記少なくとも１つの家電それぞれの消費電力を計測するための少なくとも１つの電力センサとを備え、
前記少なくとも１つの電力センサの各々は、対応する家電の電力の消費に応じて光を発するためのライトを含み、
人の存在または不在を検知するための少なくとも１つの人感センサと、
コントローラとをさらに備え、
前記コントローラは、
前記少なくとも１つの電力センサと前記少なくとも１つの人感センサと通信するための通信インターフェイスと、
前記通信インターフェイスを介して、前記少なくとも１つの人感センサから人が存在する旨の情報を受信した際に、前記少なくとも１つの電力センサに前記ライトを点灯させ、前記少なくとも１つの人感センサから人が不在である旨の情報を受信した際に、前記少なくとも１つの電力センサに前記ライトを消灯させるためのプロセッサとを含む、ネットワークシステム。
【請求項２】
前記少なくとも１つの電力センサは複数の電力センサを含み、
前記複数の電力センサの各々は、複数の部屋のいずれかに配置されており、
前記少なくとも１つの人感センサは複数の人感センサを含み、
前記複数の人感センサの各々は、複数の部屋のいずれかに配置されており、
前記コントローラは、前記複数の電力センサと前記複数の人感センサとの第１の対応関係を記憶するメモリをさらに含み、
前記プロセッサは、
前記通信インターフェイスを介して、前記人感センサから人が存在する旨の情報を受信した際に、前記第１の対応関係を参照して、前記人感センサと同じ部屋に配置されている少なくとも１つの電力センサにライトを点灯させ、
前記通信インターフェイスを介して、前記人感センサから人が不在である旨の情報を受信した際に、前記第１の対応関係を参照して、前記人感センサと同じ部屋に配置されている少なくとも１つの電力センサにライトを消灯させる、請求項１に記載のネットワークシステム。
【請求項３】
前記少なくとも１つの家電は複数の家電を含み、
前記メモリは、前記複数の電力センサと前記複数の家電との第２の対応関係をさらに記憶し、
前記プロセッサは、前記通信インターフェイスを介して、前記家電から操作命令を受け付けた旨の情報を受信した際に、前記第２の対応関係を参照して、前記家電に対応する電力センサにライトを点灯させる、請求項２に記載のネットワークシステム。
【請求項４】
前記少なくとも１つの電力センサの各々は、前記ライトの点灯中および消灯中のいずれであっても、対応する家電の動作が異常である場合に所定に色で点灯する、請求項１から３のいずれか１項に記載のネットワークシステム。
【請求項５】
前記少なくとも１つの電力センサの各々は、前記ライトの点灯中および消灯中のいずれであっても、前記コントローラとの通信が異常である場合に所定に色で点灯する、請求項１から４のいずれか１項に記載のネットワークシステム。
【請求項６】
少なくとも１つの家電と、前記少なくとも１つの家電それぞれの消費電力を計測するための少なくとも１つの電力センサと、人の存在または不在を検知するための少なくとも１つの人感センサと、コントローラとを含むネットワークシステムにおける電力センサの制御方法であって、
前記少なくとも１つの人感センサの各々が、人が存在するか不在であるかを示す情報を前記コントローラに送信するステップと、
前記コントローラが、前記少なくとも１つの人感センサから人が存在する旨の情報を受信した際に、前記少なくとも１つの電力センサを点灯させるステップと、
前記少なくとも１つの電力センサの各々が、対応する家電の電力の消費に応じて光を発するステップと、
前記コントローラが、前記少なくとも１つの人感センサから人が不在である旨の情報を受信した際に、前記少なくとも１つの電力センサを消灯させるステップとを備える、電力センサの制御方法。
【発明の詳細な説明】
【技術分野】
【０００１】
本発明は、住宅などに配置される家電の電力を測定するための電力センサを制御するための技術に関する。
【背景技術】
【０００２】
住宅などに配置される家電や当該家電の電力を測定するための電力センサが提案されている。たとえば、特開２０１０−１４５２２号公報（特許文献１）には、供給状況通知システムが開示されている。特開２０１０−１４５２２号公報（特許文献１）によると、供給状況通知システムは、供給状況通知装置を備えている。供給状況通知装置は、液体または気体または電気の供給状況を測定する測定部を備えている。さらに、供給状況通知装置は、複数の閾値を保持している閾値保持部を備えている。さらに、供給状況通知装置は、閾値と測定部での測定結果との比較結果に応じて、異なる態様の発光を行う発光部を、備えている。
【先行技術文献】
【特許文献】
【０００３】
【特許文献１】特開２０１０−１４５２２号公報
【発明の概要】
【発明が解決しようとする課題】
【０００４】
しかしながら、常に電気の供給情報を示すライトを点灯させると、ライトの消費電力が大きくなってしまう。
【０００５】
本発明は、かかる問題を解決するためになされたものであり、その目的は、より効率的に電力センサがライトを点灯することができるネットワークシステムおよび電力センサの制御方法を提供することである。
【課題を解決するための手段】
【０００６】
この発明のある局面に従うと、ネットワークシステムは、少なくとも１つの家電と、少なくとも１つの家電それぞれの消費電力を計測するための少なくとも１つの電力センサとを備える。少なくとも１つの電力センサの各々は、対応する家電の電力の消費に応じて光を発するためのライトを含む。ネットワークシステムは、人の存在または不在を検知するための少なくとも１つの人感センサと、コントローラとをさらに備える。コントローラは、少なくとも１つの電力センサと少なくとも１つの人感センサと通信するための通信インターフェイスと、通信インターフェイスを介して、少なくとも１つの人感センサから人が存在する旨の情報を受信した際に、少なくとも１つの電力センサにライトを点灯させ、少なくとも１つの人感センサから人が不在である旨の情報を受信した際に、少なくとも１つの電力センサにライトを消灯させるためのプロセッサとを含む。
【０００７】
好ましくは、少なくとも１つの電力センサは複数の電力センサを含む。複数の電力センサの各々は、複数の部屋のいずれかに配置されている。少なくとも１つの人感センサは複数の人感センサを含む。複数の人感センサの各々は、複数の部屋のいずれかに配置されている。コントローラは、複数の電力センサと複数の人感センサとの第１の対応関係を記憶するメモリをさらに含む。プロセッサは、通信インターフェイスを介して、人感センサから人が存在する旨の情報を受信した際に、第１の対応関係を参照して、人感センサと同じ部屋に配置されている少なくとも１つの電力センサにライトを点灯させる。プロセッサは、通信インターフェイスを介して、人感センサから人が不在である旨の情報を受信した際に、第１の対応関係を参照して、人感センサと同じ部屋に配置されている少なくとも１つの電力センサにライトを消灯させる。
【０００８】
好ましくは、少なくとも１つの家電は複数の家電を含む。メモリは、複数の電力センサと複数の家電との第２の対応関係をさらに記憶する。プロセッサは、通信インターフェイスを介して、家電から操作命令を受け付けた旨の情報を受信した際に、第２の対応関係を参照して、家電に対応する電力センサにライトを点灯させる。
【０００９】
好ましくは、少なくとも１つの電力センサの各々は、ライトの点灯中および消灯中のいずれであっても、対応する家電の動作が異常である場合に所定に色で点灯する。
【００１０】
好ましくは、少なくとも１つの電力センサの各々は、ライトの点灯中および消灯中のいずれであっても、コントローラとの通信が異常である場合に所定に色で点灯する。
【００１１】
この発明の別の局面に従うと、少なくとも１つの家電と、少なくとも１つの家電それぞれの消費電力を計測するための少なくとも１つの電力センサと、人の存在または不在を検知するための少なくとも１つの人感センサと、コントローラとを含むネットワークシステムにおける電力センサの制御方法が提供される。電力センサの制御方法は、少なくとも１つの人感センサの各々が、人が存在するか不在であるかを示す情報をコントローラに送信するステップと、コントローラが、少なくとも１つの人感センサから人が存在する旨の情報を受信した際に、少なくとも１つの電力センサを点灯させるステップと、少なくとも１つの電力センサの各々が、対応する家電の電力の消費に応じて光を発するステップと、コントローラが、少なくとも１つの人感センサから人が不在である旨の情報を受信した際に、少なくとも１つの電力センサを消灯させるステップとを備える。
【発明の効果】
【００１２】
以上のように、本発明によって、より効率的に電力センサがライトを点灯することができるネットワークシステムおよび電力センサの制御方法が提供される。
【図面の簡単な説明】
【００１３】
【図１】本実施の形態に係るネットワークシステム１の全体構成を示すイメージ図である。
【図２】本実施の形態に係るコントローラ１００のハードウェア構成を表わすブロック図である。
【図３】本実施の形態に係る家電テーブル１０１Ａのデータ構造を示すイメージ図である。
【図４】本実施の形態に係る人感センサテーブル１０１Ｂのデータ構造を示すイメージ図である。
【図５】本実施の形態に係る電力センサテーブル１０１Ｃのデータ構造を示すイメージ図である。
【図６】本実施の形態に係る人感センサ２００のハードウェア構成を表わすブロック図である。
【図７】本実施の形態に係る電力センサ３００のハードウェア構成を表わすブロック図である。
【図８】本実施の形態に係るＬＥＤテーブル３０１Ａのデータ構造を示すイメージ図である。
【図９】本実施の形態に係るテレビ４００Ｃのハードウェア構成を表わすブロック図である。
【図１０】本実施の形態に係るコントローラ１００における電力センサ３００の制御方法の処理手順を示すフローチャートである。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜ネットワークシステムの動作概要＞
まず、本実施の形態に係るネットワークシステムの動作概要について説明する。図１は、本実施の形態に係るネットワークシステム１の全体構成を示すイメージ図である。
【００１６】
図１を参照して、本実施の形態に係るネットワークシステム１は、たとえば、住宅やオフィスなどに設置される。リビングルームに配置されるエアコン４００Ａと、リビングルームに配置されるライト４００Ｂと、リビングルームに配置されるテレビ４００Ｃと、キッチンに配置される冷蔵庫４００Ｄと、キッチンに配置されるライト４００Ｅと、キッチンに配置される電子レンジ４００Ｆと、寝室に配置されるエアコン４００Ｇと、寝室に配置されるライト４００Ｈと、寝室に配置されるパーソナルコンピュータ（ＰＣ）４００Ｉとを含む。以下では、エアコン４００Ａと、ライト４００Ｂと、テレビ４００Ｃと、冷蔵庫４００Ｄと、ライト４００Ｅと、電子レンジ４００Ｆと、エアコン４００Ｇと、ライト４００Ｈと、パーソナルコンピュータ４００Ｉとを総称して、家電４００ともいう。
【００１７】
エアコン４００Ａの電源プラグ４５０Ａは、電力センサ３００Ａを介してコンセントから電力を取得する。テレビ４００Ｃの電源プラグ４５０Ｃは、電力センサ３００Ｃを介してコンセントから電力を取得する。冷蔵庫４００Ｄの電源プラグ４５０Ｄは、電力センサ３００Ｄを介してコンセントから電力を取得する。電子レンジ４００Ｆの電源プラグ４５０Ｆは、電力センサ３００Ｆを介してコンセントから電力を取得する。エアコン４００Ｇの電源プラグ４５０Ｇは、電力センサ３００Ｇを介してコンセントから電力を取得する。パーソナルコンピュータ４００Ｉの電源プラグ４５０Ｉは、電力センサ３００Ｉを介してコンセントから電力を取得する。本実施の形態においては、メインブレーカ５００から各コンセントへと電力が供給される。
【００１８】
電力センサ３００Ａは、対応する家電であるエアコン４００Ａの電力を測定する。電力センサ３００Ａは、エアコン４００Ａの消費電力量に応じて、ＬＥＤ３０２を点灯させる。電力センサ３００Ｃは、対応する家電であるテレビ４００Ｃの電力を測定する。電力センサ３００Ｃは、テレビ４００Ｃの消費電力量に応じて、ＬＥＤ３０２を点灯させる。電力センサ３００Ｄは、対応する家電である冷蔵庫４００Ｄの電力を測定する。電力センサ３００Ｄは、冷蔵庫４００Ｄの消費電力量に応じて、ＬＥＤ３０２を点灯させる。電力センサ３００Ｆは、対応する家電である電子レンジ４００Ｆの電力を測定する。電力センサ３００Ｆは、電子レンジ４００Ｆの消費電力量に応じて、ＬＥＤ３０２を点灯させる。電力センサ３００Ｇは、対応する家電であるエアコン４００Ｇの電力を測定する。電力センサ３００Ｇは、エアコン４００Ｇの消費電力量に応じて、ＬＥＤ３０２を点灯させる。電力センサ３００Ｉは、対応する家電であるパーソナルコンピュータ４００Ｉの電力を測定する。電力センサ３００Ｉは、パーソナルコンピュータ４００Ｉの消費電力量に応じて、ＬＥＤ３０２を点灯させる。なお、以下では、電力センサ３００を総称して、電力センサ３００ともいう。
【００１９】
ネットワークシステム１は、さらに、リビングルームに配置される人感センサ２００Ａと、キッチンに設置される人感センサ２００Ｂと、寝室に設置される人感センサ２００Ｃとを含む。なお、以下では、人感センサ２００を総称して、人感センサ２００ともいう。
【００２０】
ネットワークシステム１は、電力センサ３００、人感センサ２００を制御するためのコントローラ１００を含む。すなわち、コントローラ１００は、有線あるいは無線のネットワーク５０１を介して、電力センサ３００、人感センサ２００とデータ通信が可能である。コントローラ１００は、ネットワーク５０１として、たとえば、有線ＬＡＮ（Local  Area  Network）や無線ＬＡＮやＰＬＣ（Power  Line  Communications）やBluetooth（登録商標）などを利用する。
【００２１】
本実施の形態に係るコントローラ１００は、ネットワーク５０１を介して、人感センサ２００から、人が存在するか否かを示す信号を受信する。コントローラ１００は、ネットワーク５０１を介して、電力センサ３００から、家電４００の消費電力量を受信する。
【００２２】
コントローラ１００は、人感センサ２００Ａ（２００Ｂ，２００Ｃ）から人が存在する旨の情報を受信した際に、人感センサ２００Ａ（２００Ｂ，２００Ｃ）が配置されている部屋に配置されている電力センサ３００Ａおよび３００Ｃ（３００Ｄおよび３００Ｆ、３００Ｇおよび３００Ｉ）にＬＥＤ３０２を点灯させる。逆に、コントローラ１００は、人感センサ２００Ａ（２００Ｂ，２００Ｃ）から人が存在しない旨の情報を受信した際に、人感センサ２００Ａ（２００Ｂ，２００Ｃ）が配置されている部屋に配置されている電力センサ３００Ａおよび３００Ｃ（３００Ｄおよび３００Ｆ、３００Ｇおよび３００Ｉ）にＬＥＤ３０２を消灯させる。
【００２３】
また、コントローラ１００は、家電４００から家電４００に入力された操作命令を受信できてもよい。この場合、コントローラ１００は、エアコン４００Ａおよびテレビ４００Ｃのいずれか（冷蔵庫４００Ｄおよび電子レンジ４００Ｆのいずれか、エアコン４００Ｇおよびパーソナルコンピュータ４００Ｉのいずれか）から操作命令を受け付けた旨の情報を受信した際に、エアコン４００Ａおよびテレビ４００Ｃ（冷蔵庫４００Ｄおよび電子レンジ４００Ｆ、エアコン４００Ｇおよびパーソナルコンピュータ４００Ｉ）が配置されている部屋に配置されている電力センサ３００Ａ，３００Ｃ（３００Ｄおよび３００Ｆ、３００Ｇおよび３００Ｉ）にＬＥＤ３０２を点灯させる。ただし、コントローラ１００は、家電４００から家電４００に入力された操作命令を受信したときに、家電４００に対応する電力センサ３００にＬＥＤ３０２を点灯させてもよい。
【００２４】
以下、このような機能を実現するためのネットワークシステム１の具体的な構成について詳述する。
【００２５】
＜コントローラ１００のハードウェア構成＞
本実施の形態に係るコントローラ１００のハードウェア構成の一態様について説明する。図２は、本実施の形態に係るコントローラ１００のハードウェア構成を表わすブロック図である。
【００２６】
コントローラ１００は、メモリ１０１と、ディスプレイ１０２と、タブレット１０３と、ボタン１０４と、通信インターフェイス１０５と、ＣＰＵ（Central  Processing  Unit）１１０とを含む。
【００２７】
メモリ１０１は、各種のＲＡＭ（Random  Access  Memory）や、ＲＯＭ（Read-Only  Memory）や、ハードディスクなどである。メモリ１０１は、ＣＰＵ１１０によって実行される制御プログラム、家電テーブル１０１Ａ、人感センサテーブル１０１Ｂ、電力センサテーブル１０１Ｃを格納する。
【００２８】
図３は、本実施の形態に係る家電テーブル１０１Ａのデータ構造を示すイメージ図である。図３を参照して、家電テーブル１０１Ａは、家電４００毎に、家電４００を特定するための家電ＩＤと、家電４００の名称と、家電４００が配置される部屋を特定するための部屋ＩＤと、家電４００の消費電力の正常範囲とを格納する。
【００２９】
図４は、本実施の形態に係る人感センサテーブル１０１Ｂのデータ構造を示すイメージ図である。図４を参照して、人感センサテーブル１０１Ｂは、人感センサ２００毎に、人感センサ２００を特定するためのセンサＩＤと、当該人感センサ２００が設置される部屋を特定するための部屋ＩＤと、当該人感センサ２００が設置される部屋の名称とを格納する。
【００３０】
図５は、本実施の形態に係る電力センサテーブル１０１Ｃのデータ構造を示すイメージ図である。図５を参照して、電力センサテーブル１０１Ｃは、電力センサ３００毎に、電力センサ３００を特定するためのセンサＩＤと、電力センサ３００によって消費電力が測定される家電を特定するための家電ＩＤと、当該電力センサ３００が設置される部屋を特定するための部屋ＩＤと、当該電力センサ３００が設置される部屋の名称とを格納する。
【００３１】
図２に戻って、ディスプレイ１０２は、ＣＰＵ１１０によって制御されることによって、テキストや画像を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。
【００３２】
本実施の形態においては、ディスプレイ１０２の表面にタブレット１０３が敷設されている。すなわち、本実施の形態においては、ディスプレイ１０２とタブレット１０３とがタッチパネル１０６を構成する。ただし、コントローラ１００は、タブレット１０３を有していなくてもよい。
【００３３】
ボタン１０４は、コントローラ１００の表面に配置される。テンキーなどの複数のボタンがコントローラ１００に配置されても良い。ボタン１０４は、ユーザからの命令を受け付ける。ボタン１０４は、ユーザからの命令をＣＰＵ１１０に入力する。
【００３４】
通信インターフェイス１０５は、ＣＰＵ１１０によって制御されることによって、ネットワーク５０１を介して、人感センサ２００、電力センサ３００とデータを送受信する。なお、通信インターフェイス１０５は、ＣＰＵ１１０によって制御されることによって、ネットワーク５０１を介して、家電４００とデータ（操作命令など）を送受信できてもよい。
【００３５】
ＣＰＵ１１０は、メモリ１０１に記憶されている各種のプログラムを実行することによって、図１０に示す電力センサの制御処理などを実行する。コントローラ１００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００３６】
このようなソフトウェアは、図示しない読取装置を利用することによってその記憶媒体から読み取られて、あるいは、通信インターフェイス１０５を利用することによってダウンロードされて、メモリ１０１に一旦格納される。ＣＰＵ１１０は、ソフトウェアを実行可能なプログラムの形式でメモリ１０１に格納してから、当該プログラムを実行する。
【００３７】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００３８】
ここでいうプログラムとは、ＣＰＵにより直接実行可能なプログラムだけでなく、ソースプログラム形式のプログラム、圧縮処理されたプログラム、暗号化されたプログラム等を含む。
【００３９】
ＣＰＵ１１０は、通信インターフェイス１０５を介して、人感センサ２００から人が存在する旨の情報を受信した場合に、人感センサ２００に対応する電力センサ３００にＬＥＤ３０２を点灯させる。ＣＰＵ１１０は、通信インターフェイス１０５を介して、人感センサ２００から人が存在しない旨の情報を受信した場合に、人感センサ２００に対応する電力センサ３００にＬＥＤ３０２を消灯させる。また、ＣＰＵ１１０は、通信インターフェイス１０５を介して、家電４００から操作命令が入力された旨の情報を受信した場合に、家電４００に対応する電力センサ３００にＬＥＤ３０２を点灯させる。
【００４０】
たとえば、ＣＰＵ１１０は、通信インターフェイス１０５を介して、人感センサ２００Ａから人が存在する旨の情報を受信した際に、電力センサ３００Ａ，３００ＣにＬＥＤ３０２を点灯させる。ＣＰＵ１１０は、人感センサ２００Ａから人が不在である旨の情報を受信した際に、電力センサ３００Ａ，３００ＣにＬＥＤ３０２を消灯させる。
【００４１】
具体的には、本実施の形態においては、ＣＰＵ１１０は、通信インターフェイス１０５を介して、人感センサ２００Ａから人が存在する旨の情報を受信した際に、人感センサテーブル１０１Ｂを参照して、人感センサ２００Ａが配置されている部屋（リビングルーム）を特定する。ＣＰＵ１１０は、電力センサテーブル１０１Ｃを参照して、リビングルームに配置されている電力センサ３００Ａ，３００Ｃを特定する。ＣＰＵ１１０は、通信インターフェイス１０５を介して、リビングルームの電力センサ３００Ａ，３００ＣにＬＥＤ３０２の点灯命令を送信する。
【００４２】
逆に、ＣＰＵ１１０は、通信インターフェイス１０５を介して、人感センサ２００Ａから人が存在しない旨の情報を受信した際に、人感センサテーブル１０１Ｂを参照して、人感センサ２００Ａが配置されている部屋（リビングルーム）を特定する。ＣＰＵ１１０は、電力センサテーブル１０１Ｃを参照して、リビングルームに配置されている電力センサ３００Ａ，３００Ｃを特定する。ＣＰＵ１１０は、通信インターフェイス１０５を介して、リビングルームの電力センサ３００Ａ，３００ＣにＬＥＤ３０２の消灯命令を送信する。
【００４３】
同様に、たとえば、ＣＰＵ１１０は、通信インターフェイス１０５を介して、人感センサ２００Ｂから人が存在する旨の情報を受信した際に、電力センサ３００Ｄ，３００ＦにＬＥＤ３０２を点灯させる。ＣＰＵ１１０は、人感センサ２００Ｂから人が不在である旨の情報を受信した際に、電力センサ３００Ｄ，３００ＦにＬＥＤ３０２を消灯させる。
【００４４】
具体的には、ＣＰＵ１１０は、通信インターフェイス１０５を介して、人感センサ２００Ｂから人が存在する旨の情報を受信した際に、人感センサテーブル１０１Ｂを参照して、人感センサ２００Ｂが配置されている部屋（キッチン）を特定する。ＣＰＵ１１０は、電力センサテーブル１０１Ｃを参照して、キッチンに配置されている電力センサ３００Ｄ，３００Ｆを特定する。ＣＰＵ１１０は、通信インターフェイス１０５を介して、キッチンの電力センサ３００Ｄ，３００ＦにＬＥＤ３０２の点灯命令を送信する。
【００４５】
逆に、ＣＰＵ１１０は、通信インターフェイス１０５を介して、人感センサ２００Ｂから人が存在しない旨の情報を受信した際に、人感センサテーブル１０１Ｂを参照して、人感センサ２００Ｂが配置されている部屋（キッチン）を特定する。ＣＰＵ１１０は、電力センサテーブル１０１Ｃを参照して、キッチンに配置されている電力センサ３００Ｄ，３００Ｆを特定する。ＣＰＵ１１０は、通信インターフェイス１０５を介して、キッチンの電力センサ３００Ｄ，３００ＦにＬＥＤ３０２の消灯命令を送信する。
【００４６】
同様に、たとえば、ＣＰＵ１１０は、通信インターフェイス１０５を介して、人感センサ２００Ｃから人が存在する旨の情報を受信した際に、電力センサ３００Ｇ，３００ＩにＬＥＤ３０２を点灯させる。ＣＰＵ１１０は、人感センサ２００Ｃから人が不在である旨の情報を受信した際に、電力センサ３００Ｇ，３００ＩにＬＥＤ３０２を消灯させる。
【００４７】
具体的には、ＣＰＵ１１０は、通信インターフェイス１０５を介して、人感センサ２００Ｃから人が存在する旨の情報を受信した際に、人感センサテーブル１０１Ｂを参照して、人感センサ２００Ｃが配置されている部屋（寝室）を特定する。ＣＰＵ１１０は、電力センサテーブル１０１Ｃを参照して、寝室に配置されている電力センサ３００Ｇ，３００Ｉを特定する。ＣＰＵ１１０は、通信インターフェイス１０５を介して、寝室の電力センサ３００Ｇ，３００ＩにＬＥＤ３０２の点灯命令を送信する。
【００４８】
逆に、ＣＰＵ１１０は、通信インターフェイス１０５を介して、人感センサ２００Ｃから人が存在しない旨の情報を受信した際に、人感センサテーブル１０１Ｂを参照して、人感センサ２００Ｃが配置されている部屋（寝室）を特定する。ＣＰＵ１１０は、電力センサテーブル１０１Ｃを参照して、寝室に配置されている電力センサ３００Ｇ，３００Ｉを特定する。ＣＰＵ１１０は、通信インターフェイス１０５を介して、寝室の電力センサ３００Ｇ，３００ＩにＬＥＤ３０２の消灯命令を送信する。
【００４９】
ただし、メモリ１０１は、人感センサ２００と電力センサ３００との直接的な対応関係を記憶してもよい。この場合、ＣＰＵ１１０は、人感センサ２００から人が存在する旨の情報を受信した際に、（部屋を考慮せずに）人感センサ２００に対応する電力センサ３００にＬＥＤ３０２の点灯命令を送信してもよい。逆に、ＣＰＵ１１０は、人感センサ２００から人が存在しない旨の情報を受信した際に、（部屋を考慮せずに）人感センサ２００に対応する電力センサ３００にＬＥＤ３０２の消灯命令を送信してもよい。
【００５０】
また、ＣＰＵ１１０は、通信インターフェイス１０５を介して、家電４００から操作命令が入力された旨の情報を受信してもよい。
【００５１】
この場合、ＣＰＵ１１０は、エアコン４００Ａまたはテレビ４００Ｃから操作命令が入力された旨の情報を受信した際に、家電テーブル１０１Ａを参照して、エアコン４００Ａまたはテレビ４００Ｃが配置されている部屋（リビングルーム）を特定する。ＣＰＵ１１０は、電力センサテーブル１０１Ｃを参照して、リビングルームに配置されている電力センサ３００Ａ，３００Ｃを特定する。ＣＰＵ１１０は、通信インターフェイス１０５を介して、リビングルームの電力センサ３００Ａ，３００ＣにＬＥＤ３０２の点灯命令を送信する。
【００５２】
同様に、たとえば、ＣＰＵ１１０は、通信インターフェイス１０５を介して、冷蔵庫４００Ｄまたは電子レンジ４００Ｆから操作命令が入力された旨の情報を受信した際に、家電テーブル１０１Ａを参照して、冷蔵庫４００Ｄまたは電子レンジ４００Ｆが配置されている部屋（キッチン）を特定する。ＣＰＵ１１０は、電力センサテーブル１０１Ｃを参照して、キッチンに配置されている電力センサ３００Ｄ，３００Ｆを特定する。ＣＰＵ１１０は、通信インターフェイス１０５を介して、キッチンの電力センサ３００Ｄ，３００ＦにＬＥＤ３０２の点灯命令を送信する。
【００５３】
同様に、ＣＰＵ１１０は、通信インターフェイス１０５を介して、エアコン４００Ｇまたはパーソナルコンピュータ４００Ｉから操作命令が入力された旨の情報を受信した際に、家電テーブル１０１Ａを参照して、エアコン４００Ｇまたはパーソナルコンピュータ４００Ｉが配置されている部屋（寝室）を特定する。ＣＰＵ１１０は、電力センサテーブル１０１Ｃを参照して、寝室に配置されている電力センサ３００Ｇ，３００Ｉを特定する。ＣＰＵ１１０は、通信インターフェイス１０５を介して、寝室の電力センサ３００Ｇ，３００ＩにＬＥＤ３０２の点灯命令を送信する。
【００５４】
ただし、メモリ１０１は、家電４００と電力センサ３００との直接的な対応関係を記憶してもよい。この場合、ＣＰＵ１１０は、家電４００から操作命令が入力された旨の情報を受信した際に、（部屋を考慮せずに）家電４００に対応する電力センサ３００にＬＥＤ３０２の点灯命令を送信してもよい。
【００５５】
＜人感センサ２００のハードウェア構成＞
次に、本実施の形態に係る人感センサ２００のハードウェア構成の一態様について説明する。図６は、本実施の形態に係る人感センサ２００のハードウェア構成を表わすブロック図である。
【００５６】
人感センサ２００は、メモリ２０１と、検知部２０６と、通信インターフェイス２０５と、ＣＰＵ２１０とを含む。
【００５７】
メモリ２０１は、コントローラ１００のメモリ１０１と同様に実現され得る。メモリ２０１は、ＣＰＵ２１０によって実行される制御プログラムを格納する。
【００５８】
検知部２０６は、所定の周期で赤外線などの光を発するための発光部２０２と、当該光の反射光を受光するための受光部２０３とを含む。ＣＰＵ２１０は、受光部２０３からの信号に基づいて、人を検知したか否かを判断する。たとえば、ＣＰＵ２１０は、受光部２０３からの信号に基づいて、動く物体を検知した場合に、人を検知したと判断してもよい。ただし、検知部２０６は、音波を発し、音波を受け付けてもよい。
【００５９】
通信インターフェイス２０５は、ＣＰＵ２１０によって制御されることによって、ネットワーク５０１を介して、コントローラ１００とデータを送受信する。ＣＰＵ２１０は、通信インターフェイス２０５を介して、コントローラ１００に人を検知した旨を示す情報と人を検知しなかった旨を示す情報とを送信する。
【００６０】
あるいは、ＣＰＵ２１０は、通信インターフェイス２０５を介して、コントローラ１００に人を検知した旨を示す情報のみを送信する。この場合、コントローラ１００のＣＰＵ１１０は、所定期間人感センサ２００から人を検知した旨を示す情報を受信しなかった場合に、人感センサ２００が人を検知しなくなったと判断してもよい。
【００６１】
ＣＰＵ２１０は、メモリ２０１に記憶されている各種のプログラムを実行することによって、各種の情報処理を実行する。人感センサ２００における処理は、各ハードウェアおよびＣＰＵ２１０により実行されるソフトウェアによって実現される。このようなソフトウェアは、メモリ２０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００６２】
このようなソフトウェアは、図示しない読取装置を利用することによってその記憶媒体から読み取られて、あるいは、通信インターフェイス２０５を利用することによってダウンロードされて、メモリ２０１に一旦格納される。ＣＰＵ２１０は、ソフトウェアを実行可能なプログラムの形式でメモリ２０１に格納してから、当該プログラムを実行する。なお、記憶媒体およびプログラムは、コントローラ１００に係る記録媒体やプログラムと同様に実現され得る。
【００６３】
＜電力センサ３００のハードウェア構成＞
次に、本実施の形態に係る電力センサ３００のハードウェア構成の一態様について説明する。図７は、本実施の形態に係る電力センサ３００のハードウェア構成を表わすブロック図である。
【００６４】
電力センサ３００は、メモリ３０１と、ＬＥＤ３０２と、メータ３０３と、通信インターフェイス３０５と、ＣＰＵ３１０とを含む。
【００６５】
メモリ３０１は、コントローラ１００のメモリ１０１と同様に実現され得る。メモリ３０１は、ＣＰＵ３１０によって実行される制御プログラム、ＬＥＤテーブル３０１Ａを格納する。
【００６６】
図８は、本実施の形態に係るＬＥＤテーブル３０１Ａのデータ構造を示すイメージ図である。図８を参照して、ＬＥＤテーブル３０１Ａは、電力センサ３００が取得したステータス毎に、ＬＥＤの発光方法を格納する。
【００６７】
メータ３０３は、電力センサ３００に接続されている家電４００に供給されている電力量を測定する。ＣＰＵ３１０は、メータ３０３からのデータに基づいて、家電４００の消費電力を計算する。
【００６８】
通信インターフェイス３０５は、ＣＰＵ３１０によって制御されることによって、ネットワーク５０１を介して、コントローラ１００とデータを送受信する。通信インターフェイス３０５は、定期的に、コントローラ１００に対応する家電４００の消費電力量を送信する。または、通信インターフェイス３０５は、コントローラ１００から、ＬＥＤ３０２の点灯命令や消灯命令や対応する家電４００のステータス（正常あるいは異常）などを受信する。
【００６９】
ＣＰＵ３１０は、メモリ３０１に記憶されている各種のプログラムを実行する。電力センサ３００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００７０】
このようなソフトウェアは、図示しない読取装置を利用することによってその記憶媒体から読み取られて、あるいは、通信インターフェイス３０５を利用することによってダウンロードされて、メモリ３０１に一旦格納される。ＣＰＵ３１０は、ソフトウェアを実行可能なプログラムの形式でメモリ３０１に格納してから、当該プログラムを実行する。なお、記憶媒体およびプログラムは、コントローラ１００に係る記録媒体やプログラムと同様に実現され得る。
【００７１】
たとえば、ＣＰＵ３１０は、通信インターフェイス３０５を介して、コントローラ１００に対応する家電の消費電力量を送信する。ＣＰＵ３１０は、通信インターフェイス３０５を介してコントローラ１００から点灯命令と家電４００のステータスとを受信した場合、ＬＥＤテーブル３０１Ａを参照して、家電４００のステータスに基づいてＬＥＤ３０２の発光を制御する。ＣＰＵ３１０は、通信インターフェイス３０５を介してコントローラ１００から消灯命令を受信した場合、ＬＥＤ３０２を消灯させる。
【００７２】
本実施の形態においては、ＣＰＵ３１０は、通信インターフェイス３０５を介して、コントローラ１００との通信が正常であるか否かを判断する。そして、ＣＰＵ３１０は、ＬＥＤテーブル３０１Ａを参照して、通信状態に基づいても、ＬＥＤ３０２の発光を制御する。
【００７３】
＜家電４００のハードウェア構成＞
本実施の形態に係る家電のハードウェア構成の一態様について説明する。以下では、家電を代表してテレビ４００Ｃのハードウェア構成について説明する。図９は、本実施の形態に係るテレビ４００Ｃのハードウェア構成を表わすブロック図である。
【００７４】
図９を参照して、テレビ４００Ｃは、メモリ４０１と、ディスプレイ４０２と、ボタン４０４と、通信インターフェイス４０５と、スピーカ４０７と、リモコン受光部４０８と、ＣＰＵ４１０とを含む。
【００７５】
メモリ４０１は、コントローラ１００のメモリ１０１と同様に実現され得る。メモリ４０１は、ＣＰＵ４１０によって実行される制御プログラムなどを記憶する。
【００７６】
ディスプレイ４０２は、ＣＰＵ４１０によって制御される。より詳細には、ディスプレイ４０２は、図示しないＴＶチューナやＶＲＡＭ（Video  RAM）からのデータに基づいて、静止画像や動画像を表示する。
【００７７】
ボタン４０４は、テレビ４００Ｃの表面に配置される。テレビ４００Ｃは、決定キー、方向キー、テンキーなどの複数のボタン４０４を有してもよい。ボタン４０４は、ユーザからの命令を受け付けて、当該命令をＣＰＵ４１０に入力する。
【００７８】
通信インターフェイス４０５は、ＣＰＵ４１０によって制御されることによって、ネットワークを介して、コントローラ１００とデータを送受信する。
【００７９】
スピーカ４０７は、ＣＰＵ４１０からの命令に基づいて、音声を出力する。たとえば、ＣＰＵ４１０は、音声データに基づいて、スピーカ４０７に音声を出力させる。
【００８０】
リモコン受光部４０８は、図示しないリモートコントローラから制御信号を受信する。たとえば、リモコン受光部４０８は、赤外線、無線ＬＡＮ、ZigBee(登録商標)、Bluetooth（登録商標）などを利用することによって、リモートコントローラから信号を受信する。
【００８１】
ＣＰＵ４１０は、メモリ４０１に記憶されている各種のプログラムを実行することによって、各種の情報処理を実行する。換言すれば、テレビ４００Ｃにおける処理は、各ハードウェアおよびＣＰＵ４１０により実行されるソフトウェアによって実現される。このようなソフトウェアは、メモリ４０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００８２】
このようなソフトウェアは、図示しない読取装置を利用することによってその記憶媒体から読み取られて、あるいは、通信インターフェイス４０５を利用することによってダウンロードされて、メモリ４０１に一旦格納される。ＣＰＵ４１０は、ソフトウェアを実行可能なプログラムの形式でメモリ４０１に格納してから、当該プログラムを実行する。なお、記憶媒体およびプログラムは、コントローラ１００に係る記録媒体やプログラムと同様に実現され得る。
【００８３】
本実施の形態に係るＣＰＵ４１０は、入力部（ボタン４０４またはリモコン受光部４０８）に操作命令が入力された場合に、通信インターフェイス４０５を介して操作命令が入力された旨の情報をコントローラ１００に送信する。
【００８４】
＜その他の家電４００について＞
本実施の形態に係るその他の家電も、図９に示すテレビ４００Ｃと同様に、ユーザからの命令を受け付けるための入力部（ボタン４０４）と、操作命令を受け付けた旨の情報をコントローラ１００に送信するための通信インターフェイス４０５とを有していればよい。
【００８５】
＜電力センサ３００の制御方法＞
次に、本実施の形態に係るコントローラ１００における電力センサ３００の制御方法について説明する。図１０は、本実施の形態に係るコントローラ１００における電力センサ３００の制御方法の処理手順を示すフローチャートである。
【００８６】
図１０を参照して、ＣＰＵ１１０は、通信インターフェイス１０５を介して、外部の機器からデータを受信したか否かを判断する（ステップＳ１０２）。ＣＰＵ１１０は、通信インターフェイス１０５を介して、外部の機器からデータを受信していない場合（ステップＳ１０２においてＮＯである場合）、ステップＳ１０２の処理を繰り返す。
【００８７】
ＣＰＵ１１０は、通信インターフェイス１０５を介して、外部の機器からデータを受信した場合（ステップＳ１０２においてＹＥＳである場合）、当該データが人感センサ２００からのものであるか否かを判断する（ステップＳ１０４）。当該データが人感センサ２００からのものである場合（ステップＳ１０４においてＹＥＳである場合）、当該データが人感センサ２００が人を検知したことを示す情報であるか否かを判断する（ステップＳ１０６）。
【００８８】
当該データが人感センサ２００が人を検知したことを示す情報である場合（ステップＳ１０６においてＹＥＳである場合）、ＣＰＵ１１０は、人感センサテーブル１０１Ｂを参照して、人感センサ２００が配置されている部屋を特定する。ＣＰＵ１１０は、電力センサテーブル１０１Ｃを参照して、特定された部屋に配置されている電力センサ３００を特定する。ＣＰＵ１１０は、家電テーブル１０１Ａを参照して、特定された部屋に配置されている家電４００の消費電力が正常範囲内であるか否かを判断する。ＣＰＵ１１０は、通信インターフェイス１０５を介して、特定された電力センサ３００にＬＥＤ３０２の点灯命令と、当該電力センサ３００に対応する家電４００の消費電力が正常範囲内であるか否かを示す情報（電力状態）とを送信する（ステップＳ１０８）。ＣＰＵ１１０は、ステップＳ１０２からの処理を繰り返す。
【００８９】
一方、当該データが人感センサ２００が人を検知しなかったことを示す情報である場合（ステップＳ１０６においてＮＯである場合）、ＣＰＵ１１０は、人感センサテーブル１０１Ｂを参照して、人感センサ２００が配置されている部屋を特定する。ＣＰＵ１１０は、電力センサテーブル１０１Ｃを参照して、特定された部屋に配置されている電力センサ３００を特定する。ＣＰＵ１１０は、通信インターフェイス１０５を介して、特定された電力センサ３００にＬＥＤ３０２の消灯命令を送信する（ステップＳ１１０）。ＣＰＵ１１０は、ステップＳ１０２からの処理を繰り返す。
【００９０】
当該データが人感センサ２００からのものでない場合（ステップＳ１０４においてＮＯである場合）、当該データが電力センサ３００Ａからのものであるか否かを判断する（ステップＳ１１２）。当該データが電力センサ３００Ａからのものでない場合（ステップＳ１１２においてＮＯである場合）、ＣＰＵ１１０は、ステップＳ１０２からの処理を繰り返す。
【００９１】
当該データが電力センサ３００Ａからのものである場合、ＣＰＵ１１０は、家電テーブル１０１Ａを参照して、電力センサ３００に対応する家電４００の消費電力量が正常範囲内であるか否かを判断する（ステップＳ１１４）。電力センサ３００に対応する家電４００の消費電力量が正常範囲内である場合（ステップＳ１１４においてＹＥＳである場合）、ＣＰＵ１１０は、ステップＳ１０２からの処理を繰り返す。
【００９２】
電力センサ３００に対応する家電４００の消費電力量が正常範囲内でない場合（ステップＳ１１４においてＮＯである場合）、ＣＰＵ１１０は、通信インターフェイス１０５を介して、電力センサ３００にＬＥＤ３０２に異常を通知するための光を発光させる（ステップＳ１１６）。より詳細には、データを送信した電力センサ３００にＬＥＤ３０２を強制的に（周りに人が存在するか否かにかかわらず）点灯させるための命令と、電力消費量が異常である旨の情報（電力状態）とを送信する（ステップＳ１１６）。ＣＰＵ１１０は、ステップＳ１０２からの処理を繰り返す。
【００９３】
＜その他の実施の形態＞
本発明は、コントローラ１００、人感センサ２００、電力センサ３００、家電４００にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読み出し実行することによっても、本発明の効果を享受することが可能となる。
【００９４】
この場合、記憶媒体から読み出されたプログラムコード自体が前述した実施の形態の機能を実現することになり、そのプログラムコードを記憶した記憶媒体は本発明を構成することになる。
【００９５】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【００９６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【００９７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９８】
１  ネットワークシステム、１００  コントローラ、１０１，２０１，３０１，４０１  メモリ、１０１Ａ  家電テーブル、１０１Ｂ  人感センサテーブル、１０１Ｃ  電力センサテーブル、１０２，４０２  ディスプレイ、１０３  タブレット、１０４，４０４  ボタン、１０５，２０５，３０５，４０５  通信インターフェイス、１０６  タッチパネル、１１０，２１０，３１０，４１０  ＣＰＵ、２００，２００Ａ，２００Ｂ，２００Ｃ  人感センサ、２０２  発光部、２０３  受光部、２０６  検知部、３００，３００Ａ，３００Ｃ，３００Ｄ，３００Ｆ，３００Ｇ，３００Ｉ  電力センサ、３０１Ａ  ＬＥＤテーブル、３０２  ＬＥＤ、３０３  メータ、４００  家電、４００Ａ，４００Ｇ  エアコン、４００Ｂ，４００Ｅ，４００Ｈ  ライト、４００Ｃ  テレビ、４００Ｄ  冷蔵庫、４００Ｆ  電子レンジ、４００Ｉ  パーソナルコンピュータ、４０７  スピーカ、４０８  リモコン受光部、４５０Ａ，４５０Ｃ，４５０Ｄ，４５０Ｆ，４５０Ｇ，４５０Ｉ  電源プラグ、５００  メインブレーカ、５０１  ネットワーク。
【図１】
2012194752.tif 000003
【図２】
2012194752.tif 000004
【図３】
2012194752.tif 000005
【図４】
2012194752.tif 000006
【図５】
2012194752.tif 000007
【図６】
2012194752.tif 000008
【図７】
2012194752.tif 000009
【図８】
2012194752.tif 000010
【図９】
2012194752.tif 000011
【図１０】
2012194752.tif 000012